(57)【特許請求の範囲】
【請求項１】
少なくとも一つの埋込み式照明器具を制御するための感知システムであって、当該システムが：
基端と先端とを含む長尺状の調節可能な部材を備えるハウジングを含む、感知デバイスであって、前記調節可能な部材の基端がハウジングに結合され、且つ前記調節可能な部材の先端が１つ以上のセンサを含む、前記感知デバイスと；
ハウジングを有する少なくとも一つの埋込み式照明器具であって、前記感知デバイスのハウジングが、前記埋込み式照明器具のハウジングの外部に結合され、それによって、前記１つ以上のセンサが、前記少なくとも一つの埋込み式照明器具と電気的に接続される、前記埋込み式照明器具と；を備え、
前記調節可能な部材の先端は、前記感知デバイスのハウジングに対して位置を変更可能であり、それによって、前記１つ以上のセンサが、前記感知デバイスのハウジングから離間した様々な場所に位置決めすることが可能になる、感知システム。
【請求項２】
前記調節可能な部材の先端は、前記感知デバイスのハウジングに対して垂直方向又は水平方向に位置を変更することができる、
請求項１に記載の感知システム。
【請求項３】
前記調節可能な部材の先端は、前記埋込み式照明器具が埋込まれた面に取外し可能に係合する、
請求項１に記載の感知システム。
【請求項４】
前記調節可能な部材は、可撓性チューブである、
請求項１に記載の感知システム。
【請求項５】
前記感知デバイスのハウジングは、コネクタによって前記埋込み式照明器具に取外し可能に接続される、
請求項１に記載の感知システム。
【請求項６】
着脱可能なセンサプロテクタをさらに含み、
該センサプロテクタは、前記埋込み式照明器具のハウジングが前記感知デバイスの設置時に埋込まれた面に前記センサの先端を挿入するための適切な開口部を切取るための刃具を含む、
請求項１に記載の感知システム。
【請求項７】
埋込み式照明器具アセンブリであって、当該アセンブリが：
照明器具のハウジングの外壁の外部に位置決めされるとともに結合される埋込み式サイドボックスであって、前記埋込み式サイドボックスが、前記埋込み式サイドボックスから突出する可撓性チューブを含み、
前記埋込み式サイドボックスの前記可撓性チューブが、基端と先端とを有し、前記可撓性チューブの基端は、前記埋込み式サイドボックスに結合され、且つ前記先端は、前記埋込み式サイドボックスと前記照明器具のハウジングとが結合された位置から離間された所望の設置位置へと屈曲され、
前記可撓性チューブの先端が、センサをさらに含む、前記埋込み式サイドボックス；を備え、
前記センサは、前記可撓性チューブを通じて配線されるとともに前記埋込み式サイドボックスの１つ以上の電気部品と電気的に連絡して、前記照明器具のハウジングを制御する、埋込み式照明器具アセンブリ。
【請求項８】
前記可撓性チューブの先端に位置決めされた前記センサは、レンズを含む、
請求項７に記載の埋込み式照明器具アセンブリ。
【請求項９】
前記埋込み式サイドボックスが、前記照明器具のハウジングの外壁に取外し可能に固定される、
請求項７に記載の埋込み式照明器具アセンブリ。
【請求項１０】
前記可撓性チューブは、工具を使用せずに位置を変更可能である、
請求項７に記載の埋込み式照明器具アセンブリ。
【請求項１１】
前記可撓性チューブが前記所望の設置位置に位置を変更されるときに、前記可撓性チューブは、前記可撓性チューブの形状を維持するのに十分に剛性を有する、
請求項７に記載の埋込み式照明器具アセンブリ。
【請求項１２】
照明器具アセンブリであって、当該アセンブリが：
埋込み式照明器具のハウジングを有する照明器具と；
可撓性チューブを外部に備えるハウジングを有するセンサシステムであって、前記可撓性チューブの自由端である先端が、センサを覆うレンズを含み、前記センサが、前記照明器具のハウジングの外部に結合された前記センサシステムのハウジング内の制御電子機器に電気的に接続され、前記可撓性チューブの自由端である先端にある前記センサは、前記センサシステムのハウジングと前記照明器具のハウジングとが結合された位置から独立して離れて設置可能であり、前記センサシステムのハウジングの前記制御電子機器が、前記センサからの入力に応じて、前記照明器具を制御する、前記センサシステムと；を備える、
照明器具アセンブリ。
【請求項１３】
前記可撓性チューブは、前記センサを備える自由端である先端が、前記センサシステムのハウジングと前記照明器具のハウジングとが結合された位置から離されて、垂直方向及び水平方向に調節される、
請求項１２に記載の照明器具アセンブリ。
【請求項１４】
前記照明器具が、埋込み式蛍光灯用照明器具である、
請求項１２に記載の照明器具アセンブリ。
【請求項１５】
前記センサシステムのハウジングは、前記照明器具のハウジングに取外し可能に直接的に接続される、
請求項１２に記載の照明器具アセンブリ。
【請求項１６】
前記可撓性チューブの自由端である先端は、前記照明器具のハウジングが埋込まれる部材を通じての取付け調節が可能となるように、フランジをねじ込み式に受容するねじが切られた鏡筒を含む、
請求項１２に記載の照明器具アセンブリ。
【請求項１７】
前記センサが、感知センサである、
請求項１２に記載の照明器具アセンブリ。
【請求項１８】
着脱可能なセンサプロテクタをさらに含み、
該センサプロテクタは、前記照明器具のハウジングが前記センサシステムの設置中に埋込まれる面に隣接する同一面内に、前記可撓性チューブの自由端である先端を挿入するための適切な開口部を切取るための刃具を含む、
請求項１２の照明器具アセンブリ。
【請求項１９】
前記着脱可能なセンサプロテクタは、前記可撓性チューブの自由端である先端とねじ込み式に係合するとともに、設置される前に前記レンズを包囲する、
請求項１８に記載の照明器具アセンブリ。
【発明の詳細な説明】
【技術分野】
【０００１】
本発明は、埋込み式照明システム用のセンサシステムに関し、特に位置変更可能な離れたセンサを有する埋込み式照明器具と一体化されるセンサシステムに関する。
【背景技術】
【０００２】
多くの感知システムは、埋込み式照明システムとは離れて位置し、或いは埋込み式照明システムの内部に位置し、或いは埋込み式の環境に特に適しているわけではない。
【発明の概要】
【発明が解決しようとする課題】
【０００３】
従って、当業者にとって、照明器具のハウジングに直接的に取付けるとともにセンサ電子機器を隣接する空間内に配置することを可能にさせるような感知システムに対する要求が存在する。
【課題を解決するための手段】
【０００４】
本実施形態では、検出電子機器が照明器具から離間されて配置されることを可能にするような調節可能な部材を備える一体型センサシステムのための方法及び装置を対象にする。本実施形態によって、多様な構造を有する様々な照明装置に対してセンサシステムの取付けが可能となり、センサシステム全体は、もはや照明器具から離して取付ける必要がなくなる。
【０００５】
概して、別の態様では、センサシステムは、照明器具の外部にある。さらに、インストーラは、既存の固定器具システムに対してセンサシステムを有する固定器具への制御を容易に行わせることができる。
【０００６】
さらなる態様では、本システムは、感知システムを有する少なくとも１つの埋込み式照明器具を制御するためのシステムを含む。そしてこの感知システムは、基端と先端とを有する長尺状の調節可能な部材を備えるハウジングを含む。この調節可能な部材の基端はハウジングに結合され、且つ調節可能な部材の先端は１つ以上のセンサを含む。このシステムは、感知システム（デバイス）のハウジングを有する少なくとも一つの埋込み式照明器具を含み、感知システムのハウジングは、照明器具のハウジングの外部に結合されている。説明した様々な態様では、システムの１つ以上のセンサは、少なくとも一つの埋込み式照明器具と直接連絡しており、且つ調節可能な部材の先端は、感知システムのハウジングに対して位置を変更され、それによって、感知システムのハウジングから離間した様々な位置にセンサを位置決めすることができる。いくつかの実施形態では、調節可能な部材の先端は、感知システムのハウジングに対して垂直方向に又は水平方向に位置を変更することができる。他の態様及び他の実施形態では、調節可能な部材の先端は、照明器具が埋込まれている天井面と隣接する同一面に取外し可能に係合することができる。さらに別の実施形態は、調整及び操作を可能にすると同時に、その迅速且つ容易な設置を可能にする可撓性チューブを含むことができる。さらに他の態様では、感知システムのハウジングは、電気コネクタによって照明器具に取外し可能に接続することができる。最後に、他の様々な実施形態は、照明器具のハウジングが埋込まれている天井に隣接してその天井内にセンサの先端を挿入するための適切な開口部を切取るための刃具を有する着脱可能なセンサプロテクタを含むことができる。
【０００７】
上記利点の概要の全ては、例示のみとして理解されるべきであり、実施形態のより多くの目的が、本明細書の開示から入手することができる。従って、記載された目的についての限定解釈は、ここに含まれる明細書全体、特許請求の範囲、及び図面をさらに読取ること無しに理解されるものではない。
【図面の簡単な説明】
【０００８】
【図１】図１は、一実施形態による埋込み式照明システム用のセンサシステムの底部斜視図である。
【図２】図２は、一部切取られたドリル・アタッチメントを示す図１のセンサシステムの底面斜視図である。
【図３】図３は、図１の矢視３−３から視たセンサシステムと埋込み式照明システムとの拡大断面図である。
【図４】図４は、図２のドリル・アタッチメントの実施形態を多視点から視た図である。
【図５】図５は、図２の可撓性延長部材の実施形態を多視点から視た図ある。
【図６】図６は、図２のコネクタの実施形態を多視点から視た図である。
【図７】図７は、図２の可撓性部材の実施形態の側面図である。
【図８】図８は、センサシステムのハウジングカバーが取外された状態の図２のセンサシステムのハウジングの実施形態を多視点から視た図である。
【図９】図９は、図２のセンサシステムのハウジングカバーの実施形態を多視点から視た図である。
【図１０】図１０は、図２のねじ込み式フランジの実施形態を多視点から視た図である。
【図１１】図１１は、図２の鏡筒の実施形態を多視点から視た図である。
【図１２】図１２は、図２のナット締結具の実施形態を多視点から視た図である。
【図１３】図１３は、図２のレンズシートの実施形態を多視点から視た図である。
【発明を実施するための形態】
【０００９】
以下の詳細な説明では、限定ではなく説明の目的のために、具体的な詳細を開示する代表的な実施形態が、特許請求の範囲に記載された発明についての理解を提供するために説明されている。しかしながら、本明細書に開示された特定の詳細な実施形態から逸脱するような本発明の教示に従った他の実施形態が、添付の特許請求の範囲内にあることは、本開示の利益を受ける当業者には明らかであろう。さらに、公知の装置及び方法の説明は、代表的な実施形態の説明を不明瞭にしないように省略されている。このような方法及び装置は、特許請求の範囲に記載された発明の範囲内にあることは明らかである。例えば、本明細書に開示された装置の様々な実施形態は、特に、蛍光灯ベースの照明ユニットの実装のために複数の蛍光灯を有する一つの埋込み式照明器具と一緒に使用するのに特に適している。従って、例示する目的のために、特許請求の範囲に記載された発明は、このような照明ユニットに関連して説明される。しかしながら、ＬＥＤやＣＦＬ等に限定されない装置、及びレール式可動照明（track  lighting）等のアプリケーションに限定されない他の構成は、特許請求の範囲に記載された発明の範囲又は精神から逸脱することなく意図されている。
【００１０】
様々な種類の照明と照明装置の制御は、光の量を制御するだけでなく、設置された様々な環境の中での照明システムによって使用されるエネルギー量を制御する手段として望ましいものである。多数の様々なセンサ及び制御電子機器が、例えば、動作用センサ、光センサ、調光電子制御器、及び他の公知の電子制御装置等として利用されており、これらの全てが、照明システム及び照明装置と一体化することができる。埋込み式照明装置を制御するために離間配置可能な各種センサの取付けを可能にする追加式(add-on)で且つ一体型のセンサシステムを組み込むことが望ましい。照明装置によって生成される光の量を減少させるか、照明装置によって使用される電力量を制御又は減らすか、又は照明装置や照明システムをアクティブ／非アクティブにするために、センサは、複数の環境の状況に応じて選択可能である。このようなセンサシステムは、非常に所望されており、天井構造に設けられた回路と照明装置の制御回路との配線だけでなくこれらの回路をインターフェイスさせる観点から、既存の照明装置と天井構造との両方に容易に設置できるとともに組込むことができなければならない。例えば、モジュール性や、シンプルな構造、容易な設置及び照明システムとの一体化、並びに連結された埋込み式照明装置（複数可）を電気的に接続するとともに制御するためにセンサシステム内に収容される電子制御等の多くの特性が、必要とされ、ここに実装することもできる。
【００１１】
図１〜１３に示されるように、本発明のセンサシステム２０が図示され、このシステムは、示されているように天井システム１０において用いられることのある、埋込み式照明装置（照明器具）３０を電気的に制御するように構成されている。センサシステム２０は、多数の照明装置と埋込み式照明システムとを制御するための分離式の制御システムである。センサシステム２０は、既存の又は予め設置された埋込み式照明装置と一体化されるか、又は１つ以上の埋込み式照明装置３０を制御するために、当初から設置されている。ここで図示され且つ説明されるようなセンサシステム２０は、一般に、必要に応じて複数の照明装置の制御を組み込むことができ、それによって、照明装置の全体のバンクが、所望の特性と計算された環境条件を達成するように、センサシステム２０によって実現される。センサシステム２０（センサデバイス）には、動作検出、光強度検出又はセンサ１２によって測定されるような他の環境特性の検出が含まれるが、これらに限定されない検出機能を含む埋込み式照明装置３０の光出力を制御するための任意の様々なセンサが含まれている。本発明の埋込み式照明装置用のセンサシステム（センサデバイス）２０は、図３に示されるように、様々な埋込み式照明装置とインターフェイスするように設計されているとともに対象とする埋込み式照明装置に直接的に固定される、独立型の、モジュール方式の、追加式の（add-on）製品であってもよい。センサシステム２０は、ハウジング、すなわち図示されるように照明器具に外付けされるサイドボックス２２を提供することがさらに望ましい。ハウジング２２は、同ハウジングから分離可能に又は分離不可能にされるレセプタクル部２２ｂ（図８）に結合されたカバー部２２ａ（図９）を含むことができ、例えば、ヒンジ接続によってカバーの枢動が可能になる。
【００１２】
当業者に一般に公知であるとともに理解されているように、図示されるようなＴ型バー支持格子１２は、示されるように天井タイル１４、他の照明装置、及び埋込み式照明装置システム３０を支持するために利用されている。これらＴ型バー支持グリッド１２の一般的な場所は、典型的には、所望される様々な幅の開口部を提供するとともに、通気孔、照明装置、及びその他のシステムを支持するためにも利用されている。ここに図示されるように、埋込み式照明装置システム３０用のセンサシステム２０を設置するため、このセンサシステム２０は、埋め込むことや、既存の埋込み式照明システムに直接的に取り付けること、及び埋込み式照明装置３０の電気的接続及び制御を行うために配置することができる。この例では、蛍光灯の反射板照明装置は、天井に支持されている。さらに、センサシステム全体のハウジング２２は、既存の照明装置のハウジングに直接外部から取付けられるか、又は照明装置のハウジングと予めアセンブルされていてもよい。
【００１３】
図２及び図３に示されるように、使用の際に、センサハウジング２２は、コネクタ４０や、クイックリリース機構、又は他の取付け手段を使用することによって、取外し可能に又は恒久的に、照明器具のハウジング３２に直接的に固定することができる。コネクタ４０（図６）は、照明器具のハウジング（３２）の既存のノックアウト孔内に挿入することができ、これにより、照明器具のハウジング３２をセンサハウジング２２に結合することができる。コネクタを通じての配線１６は、センサシステム２０を埋込み式照明装置３０に電気的且つ制御可能に接続される。コネクタ４０は、示されるように１つ以上の付勢保持アーム部４２ａ，４２ｂを用いて固定位置（図３）内にスナップ式に嵌め込まれるか、又はねじが切られたロックナットを使用することができる。コネクタ４０は、コネクタの他端部が永久的に接続される状況であっても、センサハウジング２２又は照明器具のハウジング３２のうちの一方又はそれぞれに対してコネクタの一端部が取外し可能に接続されてもよい。恒久的な又は取外し可能な取付け機構を含む他の又は追加の様々な取付機構は、センサハウジング２２を照明装置３０に固定するために使用することができ、その取付機構を介して電気的接続を可能にする又は可能にしない。例えば、ＴＥＫねじと組み合わせて使用される１つ以上のタブ２３は、係合するために使用される。
【００１４】
図３に示されるように、開口部１４ａ又は様々な他の孔は、センサ５２又は他の検出電子機器を内部に備える可撓性部材、すなわちチューブ５０（図７）の先端５０ｂを露出させるために、ドリル・アタッチメント６０又は他の装置を用いて天井タイル１４又は他の部材（材料）／表面に形成することができる。ドリル・アタッチメント又は着脱可能なセンサプロテクタ６０（図２及び図４）は、レンズ５１上に、すなわち可撓性チューブの先端５０ｂのレンズアセンブリ上にねじが切られており、輸送中にレンズを保護する。ドリル・アタッチメント６０は、先端部５０ｂから取外され、次に、天井タイル１４又はレンズアセンブリ用の他の部材に開口部１４ａを形成するのに役立つように使用できる。ドリル・アタッチメント６０は、刃具、すなわちより具体的にはその刃具の先端部に複数の歯６２を備えている。この歯によって、可撓性延長部材５６（図５）、鏡筒５７（図１）、フランジすなわちレンズアセンブリに設けられたねじ込み式のノブ５４（図１０）を嵌合するのに必要な適切なサイズの開口部を有する導入口が提供される。レンズ５１とセンサ／コレクタ５２とが、レンズアセンブリ、すなわち可撓性チューブの先端５０ｂに取付けられる。鏡筒５７内のレンズシート５５（図１３）は、アセンブリ内でレンズ５１を位置決めするために使用することもできる。センサ５２からセンサハウジング２２への配線、すなわち低電圧配線２４は、可撓性チューブ５０によって完全に又は部分的に包囲されており、ハウジング内で終端することができる。可撓性チューブは、照明器具から離間した天井タイル又は材料（部材）の開口部又は様々な他の孔の位置に対して水平方向及び垂直方向に調節することができ、その後、その開口部を通じて挿通される。従って、可撓性チューブ５０によって、センサハウジング又は照明器具のハウジングのいずれかに対して離間した様々な位置に取付けられるセンサ５２の配置位置を変更すること又は設置することが可能になる。可撓性チューブ５０の先端５０ｂのセンサ５２が、天井タイルを貫通した位置にあるときに、ねじ込み式フランジ５４が、その位置に組み付けられ、露出した天井タイルに対して見た目の良い外観を提供し且つ適切に仕上げるために、天井タイル１４の下面にむき出しにされている。さらに、可撓性チューブ５０は、様々な照明器具の設計について、このチューブがセンサ５２の垂直方向及び水平方向の位置を調整可能にするように使用される。例えば、センサハウジング２２とチューブ５０とが、例えば異なる深さの反射板を有する様々な照明器具に外部から取付けられ、さらに埋込まれた環境条件内で調整することを可能にして、センサハウジング又は照明器具のハウジングのいずれかに対して離間された位置にセンサを適切に配置することができる。
【００１５】
図３に示されるように、可撓性チューブ５０は、隣接する天井領域又は離間された天井領域にレンズ及び／又はセンサを配置することができる。レンズ５１は、半径３．０４８メートル（１０フィート）の１８０度の視野角を有する、１２０度の円錐面を有することもあるが、これに限定されない。可撓性チューブ５０の基端５０ａは、他の位置も企図されるが、センサハウジング２２と照明器具３０とを結合するコネクタ４０に対向して位置決めされるように示されている。可撓性チューブ５０の基端５０ａは、ナット締結具２５（図１２）によってセンサハウジングに固定されるとともに、このチューブを通じてセンサ５２からの配線を収容している。チューブ５０は、接着剤又は機械的締結具によって、センサハウジング２２内で終端させることができることを理解されたい。さらに、可撓性チューブ５０は、工具不要手段又は工具を用いる手段のいずれかにより、可撓性／屈曲性を有してよく、またその可撓／屈曲アプリケーションのために所望の位置に一旦曲げられ又は屈曲され、その形状を保持することもできる。従って、チューブ５０は、そのチューブの位置を変更された後の状態の形状を維持することが可能な十分な剛性又は他の特性を有していてもよい。可撓性部材又はチューブは、様々な多様な長さ、大きさ、構造、及びアルミニウムを含むがこれに限定されない金属又はプラスチック等の材料であってよい。可撓性チューブ５０、レンズ５１、コネクタ４０、ハウジング２２、又はセンサシステム２０の他の部分は、ガスケット、シール、又は不要な水分や埃が装置に入ることを防止するようなその他の構造材を含んでもよい。また、１つ以上の開口部又は他の機械的な構造は、センサシステム２０へ流入及び／又は流出する空気を通気、冷却、又は提供するために使用され得ることが理解される。
【００１６】
センサシステム２０と一体化された実施形態は、埋込み式照明装置３０を電気的な制御及びに電気的に接続を行うための多数のアタッチメントが設けられたセンサ制御線１６を有する。図３に示されているように、取外し可能な且つプラグ抜差可能なコネクタによって、センサシステム２０を埋込み式照明装置３０に電気的に且つ制御可能に接続させ、それによって、これらのコネクタが、ハウジング２２又は照明器具のハウジング３２のいずれかから埋込み式照明装置３０に向けて抜け出て、それによってモジュール自体を全て開口させること無しに抜き出すことができる。センサ制御線１６は、本発明のセンサシステム２０が、照明装置３０と電気的に接続され且つ制御される場所に配置されている限り、図示されているように、埋込み式照明装置の制御線３１に接続するための任意の望ましい構造に容易に構成可能である。様々な公知のセンサ制御線とコネクタとが、図示されるセンサシステム２０で使用され且つ一体化されるように利用可能である。
【００１７】
図１〜３に示されるように、センサシステム２０は、可撓性チューブ５０の先端５０ｂにおいてセンサ５２を覆うレンズ５１を組み込むことができ、それによって、各種の環境特性が、ハウジング２２の内部に配置された制御電子機器によって測定することができる。レンズ５１は、測定対象の環境条件の入力特性を制御するか、又はこれと同じ入力特性を強めるかのいずれかを行うことができる。チューブ５０の先端５０ｂに取付けられたセンサ５２は、多数の様々な公知の特性を測定することができ、制御回路及び電子機器は、埋込み式照明装置３０の適切な電子制御を行うために、ハウジング２２の内側に配置することができる。このような制御電子機器は、当技術分野でよく知られており、センサ５２と一体化され、図示された埋込み式照明装置３０の光出力を制御するために、必要に応じてセンサ制御線１６と一体化することができる。示されるように、センサをハウジング２２に接続するチューブ５０は、ハウジング２２のスイッチとＰＣＢ２４とに接続された低電圧線２６を含むことができる。センサシステムが、示されるように、埋込み式照明装置３０を直接的に且つ電気的に制御するために、センサ制御線１６は、埋込み式照明装置の制御線３１に直接的に接続することができる。センサ制御線１６と同様に反射板又は埋込み式照明装置の制御線３１は、ハウジングの内部に常駐することができ、それぞれのデバイス（制御線）は、いずれかのハウジングを開口する必要性無しに開口部を通って引出すことができ、それによって、それらデバイス（制御線）が、電気的接続として配置されている。
【００１８】
いくつかの本発明の実施形態が、本明細書に説明及び図示されてきたが、当業者は、本明細書に記載された機能を実現する及び／又は、結果及び／又は１つ以上の利点を得るための多様な他の手段及び／又は構造を容易に予測できるだろう。そのような変形形態及び／又は変更のそれぞれは、本明細書に説明された本発明の実施形態の範囲内にあるとみなされる。より一般的には、当業者は、本明細書に説明された全てのパラメータ、寸法、材料（部材）、及び構成は例示であることを意味し、また、実際のパラメータ、寸法、材料（部材）、及び／又は構成は、特定のアプリケーション又は本発明の教示が使用されるアプリケーションに依存することを容易に理解するであろう。当業者は、単に通常の実験を用いて、本明細書に記載される本発明の特定の実施形態についての多くの均等物を認識又は確認するだろう。従って、上述した実施形態は、単なる例示としてのみ提示されており、添付の特許請求の範囲及びその均等物の範囲内において、本発明の実施形態は、特に詳細な説明で説明され且つ特許請求の範囲に記載された以外の物／方法で実施することもできることを理解されたい。本開示の本発明の実施形態は、本明細書に記載された個々の特徴、システム、物品、材料（部材）、キット及び／又は方法のそれぞれを対象としている。さらに、２つ以上のこのような特徴、システム、物品、材料（部材）、キット及び／又は方法が互いに矛盾しない場合には、そのような特徴、システム、物品、材料（部材）、キット及び／又は方法の任意の組み合わせは、本開示の発明の範囲内に含まれる。
【００１９】
本明細書中で規定され且つ使用されるすべての定義は、辞書の定義、参照により組込まれる文献の定義、及び／又は規定された用語の通常の意味として支配されることを理解されたい。
【００２０】
明細書及び特許請求の範囲において本明細書で使用される不定冠詞“ａ”と“ａｎ”とは、明確にそれに反する指示がない限り、「少なくとも一つ」を意味することを理解されたい。
【００２１】
明細書及び特許請求の範囲において本明細書で使用される語句「及び／又は」は、結合された要素のうちの「どちらか又は両方」を意味すると理解されたい。すなわち、ある場合には積集合を意味し、その他の場合には和集合を意味する。「及び／又は」とともに記載されている複数の要素は、同様に解釈されるべきである。すなわち、複数の要素のうちの「１つ以上」が結合されている。他の要素は、随意に、特に識別されたこれらの要素に関連するか又は関連しないかに関わらず、「及び／又は」の節によって特に識別された要素以外の要素を示すことができる。従って、非限定的な例として、「Ａ及び／又はＢ」の意味は、「備える、有する、含む(comprising)」などのオープンエンド言語に関連して使用されるときに、一実施形態では、Ａのみを意味し（随意にＢ以外の要素を含む）、別の実施形態では、Ｂのみを意味し（随意にＡ以外の要素を含む）、さらに別の実施形態では、ＡとＢの両方を意味する（随意に他の要素を含む）。
【００２２】
明細書及び特許請求の範囲において本明細書で使用されるように、「又は」は、上記で定義した「及び／又は」と同じ意味を有するように理解されたい。例えば、リスト内で複数の項目を仕分けるときに、「又は」又は「及び／又は」は、包括的な意味として解釈しなければならない。すなわち、少なくとも一つを含むが、一つ以上も含み、多数の要素又は複数の要素のリストを含み、そして、随意に追加のリストに無い項目を含む。明確にそれに反する指示がないときにのみ、「〜のうちの１つのみ」又は、「〜のうちのまさに１つだけ」又は、特許請求の範囲で使用されるときの「〜からなる(consisting  of)」は、多数の要素又は複数の要素のリストのうちのまさに１つの要素を含むことを意味する。一般に、本明細書で使用される用語「又は」は、「どちらか」や、「〜のうちの１つ」、「〜のうちの１つのみ」、又は「〜のうちのまさに１つだけ」等の用語によって排他的に先行されるときに、排他的な代替的意味（すなわち、「両方ではなく、どちらか一方」のみを示すと解釈される。特許請求の範囲で「本質的に〜からなる(consisting  essentially  of)」が使用される場合には、特許法の分野で使用される通常の意味を有するものとする。
【００２３】
明細書及び特許請求の範囲において本明細書で使用されるように、１つ以上の要素のリストを参照して「少なくとも一つ」という語句は、複数の要素のリストにおいて一つ以上の任意の要素から選択された少なくとも１つの要素を意味するが、必ずしも、複数の要素のリスト内に特にリスト化されたあらゆる要素のうちの少なくとも一つを含む必要はなく、複数の要素のリストにおいて任意の要素の組合せを排除するものでもない。この定義はまた、特に識別されたそれらの要素と関連するか関連しないかに関わらず、随意に、「少なくとも一つ」という語句が指す複数の要素のリスト内で特に識別された要素以外の要素が存在することも可能である。従って、非限定的な例として、「Ａ及びＢのうちの少なくとも一つ(at  least  one  of  A  and  B)」（又は、等価的に、「Ａ又はＢのうちの少なくとも一つ(at  least  one  of  A  or  B)」、又は、等価的に、「Ａ及び／又はＢのうちの少なくとも一つ(at  least  one  of  A  and/or  B)」）は、一実施形態において、少なくとも一つの、随意に１つ以上のＡを含み、且つＢが存在しない状態（随意にＢ以外の要素を含む）であることを意味し、別の実施形態では、少なくとも一つの、随意に１つ以上のＢを含み、且つＡが存在しない状態（随意にＡ以外の要素を含む）であることを意味し、さらに別の実施形態では、少なくとも一つの、随意に一つ以上のＡを含み、且つ少なくとも１つの、随意に一つ以上のＢを含む状態（随意に他の要素を含む）であることを意味する。
【００２４】
明確にそれに反する指示がない限り、任意の方法において、一つ以上のステップ又は動作、方法のステップ又は動作の順序を含む本明細書の特許請求の範囲は、必ずしも方法のステップ又は動作が列挙される順序に制限されないことも理解されたい。
【００２５】
特許請求の範囲において、同様に明細書において、例えば、「備える、含む、有する(comprising)」、「含む、有する(including)」、「担持する(carrying)」、「有する、含む(having)」、「含む(containing)」、「含む、関与する(involving)」、「保持する(holding)」、「〜を構成する(composed  of)」等の全ての移行句は、オープンエンド言語であると理解されるべきである。すなわち、これらの意味を含むがこれらに限定されないことを意味する。「〜からなる(consisting  of)」と「本質的に〜からなる(consisting  essentially  of)」との移行句のみが、米国特許審査便覧の特許審査手続第２１１１．０３項に記載されるように、それぞれ、クローズ又はセミクローズの移行句として解釈される。
【図１】
0005890838.tif 000002
【図２】
0005890838.tif 000003
【図３】
0005890838.tif 000004
【図４】
0005890838.tif 000005
【図５】
0005890838.tif 000006
【図６】
0005890838.tif 000007
【図７】
0005890838.tif 000008
【図８】
0005890838.tif 000009
【図９】
0005890838.tif 000010
【図１０】
0005890838.tif 000011
【図１１】
0005890838.tif 000012
【図１２】
0005890838.tif 000013
【図１３】
0005890838.tif 000014